(57)【特許請求の範囲】
【請求項１】
本体ケースに形成された排紙口から排紙された印刷済用紙を乾燥させる乾燥装置が前記排紙口に対向する位置に取付自在であり、印刷用紙を印刷箇所へ向けて給紙する給紙モードとしてスキップ給紙モードを有する印刷装置において、
前記排紙口に対向する位置に取り付けられた前記乾燥装置がＯＮにされることに伴い給紙モードを自動的にスキップ給紙モードに切り替える給紙モード切替手段を有することを特徴とする印刷装置。
【請求項２】
本体ケースに形成された排紙口から排紙された印刷済用紙を乾燥させる乾燥装置が前記排紙口に対向する位置に取付自在であり、印刷用紙を印刷箇所へ向けて給紙する給紙モードとしてスキップ給紙モードを有する印刷装置において、
前記スキップ給紙モードが選択されることに伴い前記排紙口に対向する位置に取り付けられた前記乾燥装置をＯＮにする制御手段を有することを特徴とする印刷装置。
【請求項３】
印刷が終了した印刷済用紙を乾燥させる乾燥ユニットが本体ケース内に設けられ、印刷用紙を印刷箇所へ向けて給紙する給紙モードとしてスキップ給紙モードを有する印刷装置において、
前記乾燥ユニットがＯＮにされることに伴い給紙モードを自動的にスキップ給紙モードに切り替える給紙モード切替手段を有することを特徴とする印刷装置。
【請求項４】
印刷が終了した印刷済用紙を乾燥させる乾燥ユニットが本体ケース内に設けられ、印刷用紙を印刷箇所へ向けて給紙する給紙モードとしてスキップ給紙モードを有する印刷装置において、
前記スキップ給紙モードが選択されることに伴い前記乾燥ユニットをＯＮにする制御手段を有することを特徴とする印刷装置。
【請求項５】
前記印刷用紙に印刷を行う際の印刷速度が切替自在であり、印刷速度が高速の場合にはスキップ回数を多くして印刷速度が低速の場合にはスキップ回数を少なくするように前記給紙モード切替手段によりスキップ回数が切り替えられることを特徴とする請求項１又は３記載の印刷装置。
【請求項６】
前記乾燥装置又は前記乾燥ユニットによる前記印刷済用紙の乾燥度合いが切替自在であり、乾燥度合いが強い場合はスキップ回数を多くして乾燥度合いが弱い場合にはスキップ回数を少なくするように前記給紙モード切替手段によりスキップ回数が切り替えられることを特徴とする請求項１又は３記載の印刷装置。
【請求項７】
印刷が終了した印刷済用紙に対向してこの印刷済用紙を乾燥させる乾燥手段を備えた乾燥ユニットが本体ケース内に設けられ、印刷用紙を印刷箇所へ向けて給紙する給紙モードとしてスキップ給紙モードを有し、前記印刷用紙に印刷を行う際の印刷速度が切替自在である印刷装置において、
印刷速度とスキップ給紙モードによる給紙時のスキップ回数との少なくともいずれか一方に応じて、前記乾燥手段に対向する位置での前記印刷済用紙の搬送速度を低速に切り替える乾燥促進手段を有することを特徴とする印刷装置。
【請求項８】
印刷が終了した印刷済用紙に対向してこの印刷済用紙を乾燥させる乾燥手段を備えた乾燥ユニットが本体ケース内に設けられ、印刷用紙を印刷箇所へ向けて給紙する給紙モードとしてスキップ給紙モードを有し、前記印刷用紙に印刷を行う際の印刷速度が切替自在である印刷装置において、
印刷速度とスキップ給紙モードによる給紙時のスキップ回数との少なくともいずれか一方に応じて、前記印刷済用紙を前記乾燥手段に対向する位置で所定時間停止させる乾燥促進手段を有することを特徴とする印刷装置。
【請求項９】
印刷装置の本体ケースに形成された排紙口に対向する位置に取り付けられ、前記排紙口から排紙された印刷済用紙を乾燥させる乾燥装置において、
前記印刷装置内での印刷速度と前記印刷装置内でのスキップ給紙モードによる給紙時のスキップ回数との少なくともいずれか一方に応じて、前記印刷済用紙の搬送速度を低速に切り替える乾燥促進手段を有することを特徴とする乾燥装置。
【請求項１０】
印刷装置の本体ケースに形成された排紙口に対向する位置に取り付けられ、前記排紙口から排紙された印刷済用紙に対向してこの印刷済用紙を乾燥させる乾燥手段を有する乾燥装置において、
前記印刷装置内での印刷速度と前記印刷装置内でのスキップ給紙時のスキップ回数との少なくともいずれか一方に応じて、前記印刷済用紙を前記乾燥手段に対向する位置で所定時間停止させる乾燥促進手段を有することを特徴とする乾燥装置。
【発明の詳細な説明】
【０００１】
【発明の属する技術分野】
本発明は、印刷済用紙の印刷面上のインキの乾燥を促進させるようにした印刷装置及びその印刷装置に取り付けて使用される乾燥装置に関する。
【０００２】
【従来の技術】
従来、孔版印刷装置などの印刷装置ではエマルジョンインキが使用されており、このエマルジョンインキは乾燥しにくいという特性がある。このため、このエマルジョンインキ（以下、単にインキという）を使用して印刷された印刷済用紙が排紙台上に排紙積載された場合、印刷面上のインキがその印刷済用紙の上に重ねられた他の印刷済用紙の裏面に転移する“裏写り”が発生する。また、排紙された直後の印刷済用紙をオペレータが取り出して揃えたりしたときに、印刷面上のインキにより手指が汚れる“手こすれ汚れ”が発生する。さらに、印刷済用紙に対して再度印刷を行う両面印刷時や多色印刷時においては、給紙コロや搬送コロ等にインキが付着し、そのインキが印刷済用紙の印刷面上に転移する“コロ跡汚れ”が発生する。
【０００３】
そこで、印刷装置に対して乾燥装置をオンライン接続したり、印刷装置内に乾燥ユニットを設けたりし、これらの乾燥装置や乾燥ユニットによって印刷済用紙のインクを乾燥させることが考えられている。
【０００４】
【発明が解決しようとする課題】
しかし、印刷装置の印刷速度は高速であり、Ａ３サイズの印刷用紙に対して最高１２０枚／分の印刷が行われ、印刷済用紙の排紙速度は最高で約８０ｍ／分となっている。このため、乾燥装置や乾燥ユニットの乾燥領域（例えば、ヒータの長さ）を４００ｍｍとした場合、印刷済用紙はその乾燥領域を０.３秒で通過することになり、印刷済用紙を十分に乾燥させることができない。
【０００５】
乾燥装置や乾燥ユニットの出力を大きくしたり、乾燥領域を長くしたりすることにより、印刷済用紙の乾燥効果を高めることは可能であるが、乾燥装置や乾燥ユニットが大型化して高価になり、消費電力が大きくなる。
【０００６】
一方、印刷速度を低下させれば印刷済用紙が乾燥領域を通過する時間を長くできるが、印刷速度を大幅に低下させると、印刷時に印刷済用紙に転移するインキの量が増えてしまい、かえって乾燥しにくくなる。
【０００７】
そこで本発明は、印刷装置に併設される乾燥装置や印刷装置内に設置される乾燥ユニットを大型にすることなく印刷済用紙の乾燥を促進させることができる印刷装置及び乾燥装置を提供することを目的とする。
【０００８】
【課題を解決するための手段】
請求項１記載の発明は、本体ケースに形成された排紙口から排紙された印刷済用紙を乾燥させる乾燥装置が前記排紙口に対向する位置に取付自在であり、印刷用紙を印刷箇所へ向けて給紙する給紙モードとしてスキップ給紙モードを有する印刷装置において、前記排紙口に対向する位置に取り付けられた前記乾燥装置がＯＮにされることに伴い給紙モードを自動的にスキップ給紙モードに切り替える給紙モード切替手段を有する。
【０００９】
ここで、スキップ給紙モードとは、版胴の回転数に比べて給紙の回数を少なくした給紙モーである。通常の給紙モードでは版胴の１回転につき１回の給紙が行われるのに対し、スキップ回数がＮ回のスキップ給紙モードでは、版胴がＮ回転する毎に１回の給紙が行われる。
【００１０】
したがって、乾燥装置により印刷済用紙を乾燥させる場合には、乾燥装置をＯＮにすると、給紙モードが給紙モード切替手段によりスキップ給紙モードに切り替えられ、印刷用紙の給紙間隔が長くなり、排紙口からの印刷済用紙の排紙間隔が長くなる。このため、乾燥装置内における印刷済用紙の搬送速度を、後続の印刷済用紙がぶつかって紙詰まりしない範囲で低速にすることができ、印刷済用紙の搬送速度を低速にすることにより乾燥装置を大型にすることなく印刷済用紙の乾燥時間を長くすることができ、印刷済用紙の乾燥促進を図ることができる。
【００１１】
請求項２記載の発明は、本体ケースに形成された排紙口から排紙された印刷済用紙を乾燥させる乾燥装置が前記排紙口に対向する位置に取付自在であり、印刷用紙を印刷箇所へ向けて給紙する給紙モードとしてスキップ給紙モードを有する印刷装置において、前記スキップ給紙モードが選択されることに伴い前記排紙口に対向する位置に取り付けられた前記乾燥装置をＯＮにする制御手段を有する。
【００１２】
したがって、印刷装置の排紙口に対向する位置に乾燥装置を取り付けた後に印刷装置の給紙モードとしてスキップ給紙モードを選択すると、乾燥装置がＯＮになり、印刷済用紙の乾燥促進を図ることができる。
【００１３】
請求項３記載の発明は、印刷が終了した印刷済用紙を乾燥させる乾燥ユニットが本体ケース内に設けられ、印刷用紙を印刷箇所へ向けて給紙する給紙モードとしてスキップ給紙モードを有する印刷装置において、前記乾燥ユニットがＯＮにされることに伴い給紙モードを自動的にスキップ給紙モードに切り替える給紙モード切替手段を有する。
【００１４】
したがって、乾燥ユニットにより印刷済用紙を乾燥させる場合には、乾燥ユニットをＯＮにすると、給紙モードが給紙モード切替手段によりスキップ給紙モードに切り替えられ、印刷用紙の給紙間隔が長くなる。このため、乾燥ユニットで乾燥させるときの印刷済用紙の搬送速度を、後続の印刷済用紙がぶつかって紙詰まりしない範囲で低速にすることができ、印刷済用紙の搬送速度を低速にすることにより乾燥ユニットを大型にすることなく印刷済用紙の乾燥時間を長くすることができ、印刷済用紙の乾燥促進を図ることができる。
【００１５】
請求項４記載の発明は、印刷が終了した印刷済用紙を乾燥させる乾燥ユニットが本体ケース内に設けられ、印刷用紙を印刷箇所へ向けて給紙する給紙モードとしてスキップ給紙モードを有する印刷装置において、前記スキップ給紙モードが選択されることに伴い前記乾燥ユニットをＯＮにする制御手段を有する。
【００１６】
したがって、印刷装置の給紙モードとしてスキップ給紙モードを選択すると、乾燥ユニットがＯＮになり、印刷済用紙の乾燥促進を図ることができる。
【００１７】
請求項５記載の発明は、請求項１又は３記載の印刷装置において、前記印刷用紙に印刷を行う際の印刷速度が切替自在であり、印刷速度が高速の場合にはスキップ回数を多くして印刷速度が低速の場合にはスキップ回数を少なくするように前記給紙モード切替手段によりスキップ回数が切り替えられる。
【００１８】
したがって、印刷速度が高速の場合にはスキップ回数が多くなるとともに印刷速度が低速の場合にはスキップ回数が少なくなるので、印刷速度が異なる場合でも印刷用紙の給紙間隔が同じになる。このため、印刷速度が異なる場合でも乾燥装置又は乾燥ユニットによる乾燥時には印刷済用紙を同じように低速で搬送させることができ、印刷済用紙の乾燥促進を図ることができる。
【００１９】
請求項６記載の発明は、請求項１又は３記載の印刷装置において、前記乾燥装置又は前記乾燥ユニットによる前記印刷済用紙の乾燥度合いが切替自在であり、乾燥度合いが強い場合はスキップ回数を多くして乾燥度合いが弱い場合にはスキップ回数を少なくするように前記給紙モード切替手段によりスキップ回数が切り替えられる。
【００２０】
したがって、乾燥度合いを強くした場合にはスキップ回数が多くなって印刷用紙の給紙間隔が長くなり、乾燥度合いを弱くした場合にはスキップ回数が少なくなって印刷用紙の給紙間隔が短くなる。このため、乾燥度合いを強くしたために給紙間隔が長くなった場合にはそれに応じて乾燥時の印刷済用紙の搬送速度を低速にすることができ、乾燥度合いを弱くしたために給紙間隔が短くなった場合にはそれに応じて乾燥時の印刷済用紙の搬送速度を高速にすることができる。これにより、乾燥度合いを強くした場合には乾燥時間を長くすることができ、乾燥度合いを弱くした場合には乾燥時間を短くすることができ、印刷済用紙を希望する乾燥度合いに乾燥させることができる。
【００２１】
請求項７記載の発明は、印刷が終了した印刷済用紙に対向してこの印刷済用紙を乾燥させる乾燥手段を備えた乾燥ユニットが本体ケース内に設けられ、印刷用紙を印刷箇所へ向けて給紙する給紙モードとしてスキップ給紙モードを有し、前記印刷用紙に印刷を行う際の印刷速度が切替自在である印刷装置において、印刷速度とスキップ給紙モードによる給紙時のスキップ回数との少なくともいずれか一方に応じて、前記乾燥手段に対向する位置での前記印刷済用紙の搬送速度を低速に切り替える乾燥促進手段を有する。
【００２２】
したがって、印刷箇所を通過した印刷済用紙が乾燥ユニットに到達する時間的間隔は、印刷速度とスキップ回数との少なくともいずれか一方に応じて決まるので、乾燥手段に対向する位置での印刷済用紙の搬送速度を、印刷速度やスキップ回数に応じて後続の印刷済用紙がぶつかって紙詰まりしない範囲で低速に乾燥促進手段で切り替えることにより、印刷済用紙の乾燥時間が長くなり、乾燥ユニットを大型にすることなく印刷済用紙の乾燥を促進させることができる。
【００２３】
請求項８記載の発明は、印刷が終了した印刷済用紙に対向してこの印刷済用紙を乾燥させる乾燥手段を備えた乾燥ユニットが本体ケース内に設けられ、印刷用紙を印刷箇所へ向けて給紙する給紙モードとしてスキップ給紙モードを有し、前記印刷用紙に印刷を行う際の印刷速度が切替自在である印刷装置において、印刷速度とスキップ給紙モードによる給紙時のスキップ回数との少なくともいずれか一方に応じて、前記印刷済用紙を前記乾燥手段に対向する位置で所定時間停止させる乾燥促進手段を有する。
【００２４】
したがって、印刷箇所を通過した印刷済用紙が乾燥ユニットに到達する時間的間隔は、印刷速度とスキップ回数との少なくともいずれか一方に応じて決まるので、印刷速度やスキップ回数に応じて後続の印刷済用紙がぶつかって紙詰まりしない範囲の所定時間、印刷済用紙を乾燥手段に対向する位置で乾燥促進手段によって停止させることにより、印刷済用紙の乾燥時間が長くなり、乾燥ユニットを大型にすることなく印刷済用紙の乾燥を促進させることができる。
【００２５】
請求項９記載の発明は、印刷装置の本体ケースに形成された排紙口に対向する位置に取り付けられ、前記排紙口から排紙された印刷済用紙を乾燥させる乾燥装置において、前記印刷装置内での印刷速度と前記印刷装置内でのスキップ給紙時のスキップ回数との少なくともいずれか一方に応じて前記印刷済用紙の搬送速度を低速に切り替える乾燥促進手段を有する。
【００２６】
したがって、印刷装置の排紙口から乾燥装置内へ排紙される印刷済用紙の時間的間隔は、印刷速度とスキップ回数との少なくともいずれか一方に応じて決まるので、乾燥装置内での印刷済用紙の搬送速度を、印刷速度やスキップ回数に応じて後続の印刷済用紙がぶつかって紙詰まりしない範囲で低速に乾燥促進手段で切り替えることにより、乾燥装置内での印刷済用紙の乾燥時間が長くなり、乾燥装置を大型にすることなく印刷済用紙の乾燥を促進させることができる。
【００２７】
請求項１０記載の発明は、印刷装置の本体ケースに形成された排紙口に対向する位置に取り付けられ、前記排紙口から排紙された印刷済用紙に対向してこの印刷済用紙を乾燥させる乾燥手段を有する乾燥装置において、前記印刷装置内での印刷速度と前記印刷装置内でのスキップ給紙時のスキップ回数との少なくともいずれか一方に応じて前記印刷済用紙を前記乾燥手段に対向する位置で所定時間停止させる乾燥促進手段を有する。
【００２８】
したがって、印刷装置の排紙口から乾燥装置内へ排紙される印刷済用紙の時間的間隔は、印刷速度とスキップ回数との少なくともいずれか一方に応じて決まるので、印刷速度やスキップ回数に応じて後続の印刷済用紙がぶつかって紙詰まりしない範囲の所定時間、印刷済用紙を乾燥装置内で乾燥促進手段によって停止させることにより、乾燥装置内での印刷済用紙の乾燥時間が長くなり、乾燥装置を大型にすることなく印刷済用紙の乾燥を促進させることができる。
【００２９】
【発明の実施の形態】
本発明の第１の実施の形態を図１及び図２に基づいて説明する。図１は、孔版印刷装置と乾燥装置とを示す縦断正面図である。印刷装置である孔版印刷装置１には外装部材として本体ケース２が設けられている。この本体ケース２内には、軸線を中心として回転駆動される多孔性円筒状の版胴３、版胴３の外周面に接離する位置へ移動自在なプレスローラ４、版胴３の外周面に巻き付けられるマスタ５を製版する製版部６、吸着搬送ユニット７、ＣＰＵやＲＯＭ及びＲＡＭなどを備えて孔版印刷装置１の各種動作を制御する制御装置８等が設けられている。さらに、本体ケース２の一方の側面部には、印刷用紙９が積載される給紙台１０が取り付けられ、本体ケース２の他方の側面部には排紙口１１が形成されている。
【００３０】
版胴３の内部には、版胴３の軸線上に位置して版胴３を回転自在に支持する支軸を兼ねたインキパイプ１２、版胴３の内周面との間に微小隙間をもって版胴３と同じ方向へ回転駆動されるインキローラ１３、インキローラ１３の外周面との間に微小隙間をもって配置されたドクターローラ１４等が配置されている。この孔版印刷装置１では、不乾性油や不揮発性油に顔料を均一に分散させた油相中に水相を乳化させたＷ／Ｏ型エマルジョンインキ（以下、単にインキという）が使用されており、このインキには印刷後の乾燥を促進させるための特別な成分は含まれていない。これは、版胴３内のインキが長期間放置などにより乾燥して目詰まりすることを防止するためである。このインキは、印刷後に印刷用紙９の繊維中に浸透することにより見かけ上乾燥する。
【００３１】
版胴３とプレスローラ４とが当接される箇所が印刷箇所１５であり、給紙台１０上から給紙された印刷用紙９に対して印刷箇所１５で印刷が行われる。印刷が行われた印刷済用紙９ａは吸着搬送ユニット７により吸着されて搬送され、排紙口１１から本体ケース２外へ排紙される。
【００３２】
本体ケース２の側方であって排紙口１１に対向する位置には乾燥装置１６が配置され、乾燥装置１６には外装部材として本体ケース１７が設けられている。この本体ケース１７内には、印刷済用紙９ａを搬送する搬送ベルト１８、搬送ベルト１８を支持する２個のローラ１９，２０、一方のローラ２０を回転駆動させるベルト駆動モータ２１、印刷済用紙９ａの先端部が搬送ベルト１８上に到達したことを検知する用紙先端検知センサ２２、印刷済用紙９ａの後端部が搬送ベルト１８上を通過してジャムが発生していないことを確認する用紙後端検知センサ２３、搬送ベルト１８で搬送される印刷済用紙９ａを搬送ベルト１８に吸着させるエア吸引器２４、搬送ベルト１８で搬送される印刷済用紙９ａを乾燥させる乾燥手段である遠赤外線ヒータ２５、ＣＰＵやＲＯＭ及びＲＡＭなどを備えて乾燥装置１６の各種動作を制御する制御装置２６等が設けられている。さらに、本体ケース１７の一方の側面部には、印刷済用紙９ａが積載される排紙台２７と、印刷済用紙９ａを腰付けして排紙台２７上に飛ばすためのジャンプ板２８とが取り付けられている。
【００３３】
図２は、孔版印刷装置１と乾燥装置１６との制御系を示すブロック図である。孔版印刷装置１と乾燥装置１６とはオンライン接続されている。孔版印刷装置１の制御装置８には、各種キー（図示せず）や各種表示部（図示せず）などが設けられた操作パネル２９、版胴３を回転駆動させる版胴回転モータ３０、給紙台１０上の印刷用紙９を給紙するための給紙用モータ３１、プレスローラ４を版胴３に接離させるプレスローラ移動モータ３２、製版部６等が接続されている。操作パネル２９上に設けられた各種キーとしては、印刷枚数などを入力するテンキー、印刷速度を切り替える印刷速度切替キー、乾燥装置１６での乾燥度合いを切り替える乾燥度合い切替キー、給紙モードを切り替える給紙モード切替キーなどがある。
【００３４】
制御装置８は、乾燥装置１６がＯＮ（より正確には、遠赤外線ヒータ２５がＯＮ）にされることに伴い、給紙モードを通常の給紙モードからスキップ給紙モードにソフトウェア上で切り替える給紙モード切替手段として機能する。また、給紙モード切替手段によりスキップ給紙モードに切り替えられた場合には、そのときの印刷速度や乾燥度合いに応じて異なるスキップ回数に切り替えられる。
【００３５】
スキップ給紙モードは、通常の給紙モードでは版胴３の１回転につき１回の給紙が行われるのに対し、版胴３の回転数より少ない回数の給紙が行われる。例えば、スキップ給紙モードでのスキップ回数がＮ回という場合には、版胴３のＮ回転につき１回の給紙が行われる。このスキップ回数が多くなるにつれ、給紙間隔が長くなる。なお、給紙モードの切り替えは、操作パネル２９に設けられた給紙モード切替キーを操作することにより手動でも行える。
【００３６】
また、操作パネル２９上に設けられた印刷速度切替キーを操作することにより、版胴３の回転数を変えて印刷速度を変えることができる。後述する表１，表２で示すように、印刷速度が１速の場合には６０枚／分、３速の場合には９０枚／分、５速の場合には１２０枚／分の印刷が行われる。
【００３７】
また、操作パネル２９上に設けられた乾燥度合い切替キーを操作することにより、乾燥装置１６の遠赤外線ヒータ２５への供給電圧を変えて印刷済用紙９ａの乾燥度合いを変えることができる。後述する表１に示すように、乾燥度合いが“強”の場合にはヒータ供給電圧が１００Ｖ、乾燥度合いが“中”の場合にはヒータ供給電圧が７５Ｖ、乾燥度合いが“弱”の場合にはヒータ供給電圧が５０Ｖとなる。
【００３８】
乾燥装置１６の制御装置２６には、用紙先端検知センサ２２、用紙後端検知センサ２３、ベルト駆動モータ２１、遠赤外線ヒータ２５、エア吸引器２４を駆動させる吸引用モータ３３等が接続されている。この制御装置２６は、孔版印刷装置１内での印刷速度とスキップ給紙時のスキップ回数とに応じて、印刷済用紙９ａの搬送速度をソフトウェア上で低速に切り替える乾燥促進手段として機能する。
【００３９】
このような構成において、孔版印刷装置１内で印刷が行われた印刷済用紙９ａを乾燥装置１６内で乾燥させる場合には、乾燥装置１６の電源スイッチ（より正確には、遠赤外線ヒータ２５の電源スイッチ）をＯＮにする。すると、孔版印刷装置１の給紙モードが制御装置（給紙モード切替手段）８によりスキップ給紙モードに切り替えられ、スキップ給紙モードのスキップ回数は、操作パネル２９上のキー操作により設定されている印刷速度、乾燥度合いに応じて切り替えられる。その具体例を表１に示す。
【００４０】
【表１】
0004354053.tif 000002
【００４１】
例えば、印刷速度が５速で、乾燥度合いが“強”の場合には、制御装置（給紙モード切替手段）８により切り替えられたスキップ給紙モードのスキップ回数は８回となる。
【００４２】
孔版印刷装置１の給紙モードがスキップ給紙モードに切り替えられ、例えば、スキップ回数がＮ回とされた場合には、排紙口１１から排紙される印刷済用紙９ａの排紙間隔時間（用紙先端検知センサ２２がＯＮになってから、用紙先端検知センサ２２が再びＯＮになるまでの時間：ＰＴ）が通常の給紙モードで給紙が行われたときのＮ倍となる。つまり、乾燥装置１６内での印刷済用紙９ａの搬送速度を、通常の給紙モードで給紙が行われたときの１／Ｎの速度で搬送させても、後続の印刷済用紙９ａがぶつかって紙詰まりすることが防止される。
【００４３】
したがって、孔版印刷装置１の給紙モードが制御装置（給紙モード切替手段）８によりスキップ給紙モードに切り替えられ、そのときのスキップ回数がＮ回に切り替えられた場合には、乾燥装置１６内の印刷済用紙９ａの搬送速度が、印刷速度とスキップ回数とに応じて後続の印刷済用紙９ａがぶつかって紙詰まりしない範囲で低速に制御装置（乾燥促進手段）２６により切り替えられる。このため、遠赤外線ヒータ２５による印刷済用紙９ａの乾燥時間が長くなり、印刷済用紙９ａの乾燥が促進される。しかも、この印刷済用紙９ａの乾燥促進を、乾燥装置１６を大型にすることなく行える。
【００４４】
表２は、印刷速度と、スキップ回数と、排紙間隔時間ＰＴとの具体例を示している。
【００４５】
【表２】
0004354053.tif 000003
【００４６】
例えば、印刷速度が５速で、スキップ回数が５回の場合には、排紙間隔時間ＰＴが２.５秒となり、乾燥装置１６内での印刷済用紙９ａの乾燥時間を２.５秒弱確保することができ、乾燥装置１６内を通過する時間が２.５秒弱となる程度に印刷済用紙９ａの搬送速度を低速にすることができる。このため、従来例において説明したように、略同じ印刷速度で通常給紙モードで給紙しながら印刷した場合の乾燥時間が０.３秒程度である場合に比べて、乾燥時間を大幅に長くすることができ、印刷済用紙９ａの乾燥を促進させることができる。
【００４７】
なお、本実施の形態では、乾燥装置１６がＯＮ（より正確には、遠赤外線ヒータ２５がＯＮ）にされることに伴い制御装置８によりスキップ給紙モードに切り替えられる場合を例に挙げて説明したが、操作パネル２９上の給紙モード切替キーでスキップ給紙モードを選択することに伴い、制御手段として機能する制御装置８により乾燥装置１６をＯＮ（より正確には、遠赤外線ヒータ２５をＯＮ）にしてもよい。
【００４８】
また、本実施の形態では、乾燥装置１６の制御装置（乾燥促進手段）２６が、孔版印刷装置１内での印刷速度とスキップ給紙時のスキップ回数とに応じて、乾燥装置１６内での印刷済用紙９ａの搬送速度を低速に切り替える場合を例に挙げて説明したが、制御装置（乾燥促進手段）２６が、孔版印刷装置１内での印刷速度とスキップ回数とのいずれか一方に応じて印刷済用紙９ａの搬送速度を低速に切り替えるようにしてもよい。
【００４９】
つぎに、本発明の第２の実施の形態を図３に基づいて説明する。なお、本実施の形態は、外観上の構成、制御系の構成に関しては図１及び図２に示した第１の実施の形態と同じであり、これらの図１及び図２を援用して説明する。
【００５０】
本実施の形態が第１の実施の形態と異なる点は、制御装置２６が、孔版印刷装置１内での印刷速度とスキップ給紙時のスキップ回数とに応じて、印刷済用紙９ａを遠赤外線ヒータ２５に対向する位置で所定時間停止させる乾燥促進手段として機能する点である。
【００５１】
図３は、用紙先端検知センサ２２のＯＮ，ＯＦＦと、搬送ベルト１８の搬送速度との関係を示すタイミングチャートである。なお、搬送ベルト１８が印刷済用紙９ａを搬送しているときの搬送速度はＶ２であり、この搬送速度Ｖ２は、吸着搬送ユニット７の搬送速度Ｖ１に対して５０〜７０％の値に設定されている。
【００５２】
搬送ベルト１８の制御は、用紙先端検知センサ２２がＯＦＦになったタイミングでベルト駆動モータ２１への通電が遮断され、ベルト駆動モータ２１が所定時間（停止時間：Ｔ）停止された後に通電が再開される。この停止時間Ｔは、通電を再開してから用紙先端検知センサ２２がＯＮになるまでに微小時間ｔが得られるように設定されている。
【００５３】
この停止時間Ｔについては、印刷速度が５速で、スキップ回数が５回の場合には、排紙間隔時間ＰＴが２.５秒であることから（表２参照）、この排紙間隔時間ＰＴより少し短い時間、例えば約２秒となる。
【００５４】
このような構成において、乾燥装置１６内を搬送される印刷済用紙９ａが遠赤外線ヒータ２５に対向する位置で約２秒間停止されるので、十分な乾燥時間を確保することができ、印刷済用紙９ａの乾燥を促進させることができる。
【００５５】
なお、本実施の形態では、用紙先端検知センサ２２がＯＦＦになったタイミングでベルト駆動モータ２１への通電を遮断する場合を例に挙げて説明したが、用紙先端検知センサ２２がＯＮになった後、所定搬送距離に相当するパルス分だけベルト駆動モータ２１を駆動させ、その後にベルト駆動モータ２１への通電を遮断するようにしてもよい。
【００５６】
また、本実施の形態では、乾燥装置１６の制御装置（乾燥促進手段）２６が、孔版印刷装置１内での印刷速度とスキップ給紙時のスキップ回数とに応じて、印刷済用紙９ａを遠赤外線ヒータ２５に対向する位置で所定時間停止させる場合を例に挙げて説明したが、制御装置（乾燥促進手段）２６が、孔版印刷装置１内での印刷速度とスキップ回数とのいずれか一方に応じて印刷済用紙９ａを遠赤外線ヒータ２５に対向する位置で所定時間停止させるようにしてもよい。
【００５７】
つぎに、本発明の第３の実施の形態を図４に基づいて説明する。なお、図１及び図２において説明した部分と同じ部分は同じ符号で示し、説明も省略する（以下、同様）。本実施の形態の印刷装置である孔版印刷装置３４には、外装部材として本体ケース３５が設けられている。この本体ケース３５内には、版胴３、プレスローラ４、製版部６、ＣＰＵやＲＯＭ及びＲＡＭなどを備えて孔版印刷装置３４の各種動作を制御する制御装置３６等が設けられている。さらに、印刷済用紙９ａを乾燥させる乾燥ユニット３７が本体ケース３５内に設けられ、本体ケース３５の一方の側面部には排紙台２７が取り付けられている。
【００５８】
乾燥ユニット３７は、印刷済用紙９ａを搬送する搬送ベルト１８、搬送ベルト１８を支持する２個のローラ１９，２０、一方のローラ２０を回転駆動させベルト駆動モータ２１、印刷済用紙９ａを検知する用紙検知センサ３８、搬送ベルト１８で搬送される印刷済用紙９ａを搬送ベルト１８に吸着させるエア吸引器２４、搬送ベルト１８で搬送される印刷済用紙９ａを乾燥させる乾燥手段である遠赤外線ヒータ２５等により構成されている。
【００５９】
制御装置３６は、乾燥ユニット３７がＯＮ（より正確には、遠赤外線ヒータ２５がＯＮ）にされることに伴い給紙モードをスキップ給紙モードに切り替える給紙モード切替手段として機能し、給紙モード切替手段によりスキップ給紙モードに切り替えられた場合には、そのときの印刷速度や乾燥度合いに応じて異なるスキップ回数に切り替えられる。また、制御装置３６は、孔版印刷装置３４内での印刷速度とスキップ給紙時のスキップ回数とに応じて、印刷済用紙９ａの搬送速度を低速に切り替える乾燥促進手段として機能する。
【００６０】
このような構成において、印刷が行われた印刷済用紙９ａを乾燥ユニット３７で乾燥させる場合には、乾燥ユニット３７の電源スイッチ（より正確には、遠赤外線ヒータ２５の電源スイッチ）をＯＮにする。すると、孔版印刷装置３４の給紙モードが制御装置（給紙モード切替手段）３６によりスキップ給紙モードに切り替えられる。さらに、そのスキップ給紙モードのスキップ回数がＮ回に切り替えられた場合には、制御装置（乾燥促進手段）３６により印刷速度とスキップ回数Ｎとに応じて印刷済用紙９ａの搬送速度が切り替えられ、遠赤外線ヒータ２５に対向して搬送される印刷済用紙９ａの搬送速度が、後続の印刷済用紙９ａがぶつかって紙詰まりしない範囲で低速になる。このため、遠赤外線ヒータ２５による印刷済用紙９ａの乾燥時間が長くなり、印刷済用紙９ａの乾燥が促進される。しかも、この印刷済用紙９ａの乾燥促進を、乾燥ユニット３７や孔版印刷装置３４を大型にすることなく行える。
【００６１】
なお、本実施の形態では、乾燥ユニット３７がＯＮ（より正確には、遠赤外線ヒータ２５がＯＮ）にされることに伴い制御装置３６によりスキップ給紙モードに切り替えられる場合を例に挙げて説明したが、操作パネル２９の給紙モード切替キーでスキップ給紙モードを選択することに伴い、制御手段として機能する制御装置３６により乾燥ユニット３７をＯＮ（より正確には、遠赤外線ヒータ２５をＯＮ）にしてもよい。
【００６２】
また、本実施の形態では、制御装置（乾燥促進手段）３６が、孔版印刷装置３４内での印刷速度とスキップ給紙時のスキップ回数とに応じて、孔版印刷装置３４内での印刷済用紙９ａの搬送速度を低速に切り替える場合を例に挙げて説明したが、制御装置（乾燥促進手段）３６が、孔版印刷装置３４内での印刷速度とスキップ回数とのいずれか一方に応じて印刷済用紙９ａの搬送速度を低速に切り替えるようにしてもよい。
【００６３】
つぎに、本発明の第４の実施の形態を説明する。本実施の形態は、外観上の構成に関しては図４に示した第３の実施の形態と同じであり、図４を援用して説明する。
【００６４】
本実施の形態が第３の実施の形態と異なる点は、制御装置（乾燥促進手段）３６の制御形態であり、印刷速度とスキップ給紙時のスキップ回数とに応じて、印刷済用紙９ａを遠赤外線ヒータ２５に対向する位置で所定時間停止させる点である。
【００６５】
印刷済用紙９ａが遠赤外線ヒータ２５に対向する位置で停止する停止時間Ｔは、第２の実施の形態の場合と略同じであり、例えば、印刷速度が５速で、スキップ回数が５回の場合には約２秒となる。
【００６６】
このような構成において、用紙検知センサ３８が印刷済用紙９ａの後端を検出したらすぐにベルト駆動モータ２１への通電が遮断され、印刷済用紙９ａが遠赤外線ヒータ２５に対向する位置で約２秒間停止される。このため、印刷済用紙９ａを乾燥させるための乾燥時間を十分に確保することができ、印刷済用紙９ａの乾燥を促進させることができる。
【００６７】
なお、本実施の形態では、制御装置（乾燥促進手段）３６が、孔版印刷装置３４内での印刷速度とスキップ給紙時のスキップ回数とに応じて、印刷済用紙９ａを遠赤外線ヒータ２５に対向する位置で所定時間停止させる場合を例に挙げて説明したが、制御装置（乾燥促進手段）３６が、孔版印刷装置３４内での印刷速度とスキップ回数とのいずれか一方に応じて印刷済用紙９ａを遠赤外線ヒータ２５に対向する位置で所定時間停止させるようにしてもよい。
【００６８】
つぎに、本発明の第５の実施の形態を図５に基づいて説明する。本実施の形態の基本的構造は図１に示した第１の実施の形態と略同じであり、孔版印刷装置１と、孔版印刷装置１の本体ケース２の側方であって排紙口１１に対向する位置に配置された乾燥装置３９とよりなる。乾燥装置３９の本体ケース４０内には、印刷済用紙９ａを搬送する搬送ベルト１８、ベルト駆動モータ２１、用紙先端検知センサ２２、搬送ベルト１８の裏面側に等ピッチで＋と−とが交互に配列された乾燥手段である多数の電極４１、高周波発生電源４２、ＣＰＵやＲＯＭ及びＲＡＭなどを備えて乾燥装置３９の各種動作を制御する制御装置４３等が設けられている。搬送ベルト１８は非導電性に形成され、電極４１は高周波誘電により印刷済用紙９ａ表面の水分を加熱することにより印刷済用紙９ａの乾燥を促進する。制御装置４３は、孔版印刷装置１内での印刷速度とスキップ給紙時のスキップ回数とに応じて、印刷済用紙９ａの搬送速度を低速に切り替える乾燥促進手段として機能する。
【００６９】
このような構成において、孔版印刷装置１内で印刷が行われた印刷済用紙９ａを乾燥装置３９内で乾燥させる場合には、乾燥装置３９の電源スイッチ（より正確には、電極４１の電源スイッチ）をＯＮにする。すると、孔版印刷装置１の給紙モードが制御装置（給紙モード切替手段）８によりスキップ給紙モードに切り替えられる。
【００７０】
さらに、孔版印刷装置１の給紙モードがスキップ給紙モードに切り替えられることにより、そのときの印刷速度とスキップ回数とにより制御装置（乾燥促進手段）４３により印刷済用紙９ａの搬送速度が切り替えられ、搬送ベルト１８上を搬送される印刷済用紙９ａの搬送速度が、後続の印刷済用紙９ａがぶつかって紙詰まりしない範囲で低速になる。このため、電極４１から発生する高周波誘電による印刷済用紙９ａの乾燥時間が長くなり、印刷済用紙９ａの乾燥が促進される。
【００７１】
なお、本実施の形態では、印刷済用紙９ａの乾燥促進のための制御装置（乾燥促進手段）４３による制御として、搬送速度を低速にする場合を例に挙げて説明したが、搬送ベルト１８上で所定時間停止させることにより乾燥を促進させるようにしてもよい。
【００７２】
また、上述した各実施の形態において、給紙モード切替手段と乾燥促進手段について、ソフトウェア上の処理により切り替える構造を例に挙げて説明したが、機械的にスイッチを切り替える構造としてもよい。
【００７３】
【発明の効果】
請求項１記載の発明の印刷装置によれば、乾燥装置により印刷済用紙を乾燥させる場合には、乾燥装置をＯＮにすると、給紙モードが給紙モード切替手段によりスキップ給紙モードに切り替えられ、印刷用紙の給紙間隔が長くなり、排紙口からの印刷済用紙の排紙間隔が長くなるので、乾燥装置内における印刷済用紙の搬送速度を、後続の印刷済用紙がぶつかって紙詰まりしない範囲で低速にすることができ、印刷済用紙の搬送速度を低速にすることにより乾燥装置を大型にすることなく印刷済用紙の乾燥時間を長くすることができ、印刷済用紙の乾燥促進を図ることができる。
【００７４】
請求項２記載の発明の印刷装置によれば、印刷装置の排紙口に対向する位置に乾燥装置を取り付けた後に印刷装置の給紙モードとしてスキップ給紙モードを選択すると、乾燥装置がＯＮになるので、印刷済用紙の乾燥促進を図ることができる。
【００７５】
請求項３記載の発明の印刷装置によれば、乾燥ユニットにより印刷済用紙を乾燥させる場合には、乾燥ユニットをＯＮにすると、給紙モードが給紙モード切替手段によりスキップ給紙モードに切り替えられ、印刷用紙の給紙間隔が長くなるので、乾燥ユニットで乾燥させるときの印刷済用紙の搬送速度を、後続の印刷済用紙がぶつかって紙詰まりしない範囲で低速にすることができ、印刷済用紙の搬送速度を低速にすることにより乾燥ユニットを大型にすることなく印刷済用紙の乾燥時間を長くすることができ、印刷済用紙の乾燥促進を図ることができる。
【００７６】
請求項４記載の発明の印刷装置によれば、印刷装置の給紙モードとしてスキップ給紙モードを選択すると、乾燥ユニットがＯＮになるので、印刷済用紙の乾燥促進を図ることができる。
【００７７】
請求項５記載の発明の印刷装置によれば、印刷速度が高速の場合にはスキップ回数が多くなるとともに印刷速度が低速の場合にはスキップ回数が少なくなるので、印刷速度が異なる場合でも印刷用紙の給紙間隔が同じになり、印刷速度が異なる場合でも乾燥装置又は乾燥ユニットによる乾燥時には印刷済用紙を同じように低速で搬送させることができ、印刷済用紙の乾燥促進を図ることができる。
【００７８】
請求項６記載の発明の印刷装置によれば、乾燥度合いを強くした場合にはスキップ回数が多くなって印刷用紙の給紙間隔が長くなり、乾燥度合いを弱くした場合にはスキップ回数が少なくなって印刷用紙の給紙間隔が短くなるので、乾燥度合いを強くした場合には乾燥装置又は乾燥ユニットによる乾燥時の印刷済用紙の搬送速度を低速にすることができ、乾燥度合いを弱くした場合には乾燥装置又は乾燥ユニットによる乾燥時の印刷済用紙の搬送速度を高速にすることができ、これにより、乾燥度合いを強くした場合には乾燥時間を長くすることができ、乾燥度合いを弱くした場合には乾燥時間を短くすることができ、印刷済用紙を希望する乾燥度合いに乾燥させることができる。
【００７９】
請求項７記載の発明の印刷装置によれば、印刷箇所を通過した印刷済用紙が乾燥ユニットに到達する時間的間隔は、印刷速度とスキップ回数との少なくともいずれか一方に応じて決まるので、乾燥手段に対向する位置での印刷済用紙の搬送速度を、印刷速度やスキップ回数に応じて後続の印刷済用紙がぶつかって紙詰まりしない範囲で低速に乾燥促進手段で切り替えることにより、乾燥手段による印刷済用紙の乾燥時間が長くなり、乾燥ユニットを大型にすることなく印刷済用紙の乾燥を促進させることができる。
【００８０】
請求項８記載の発明の印刷装置によれば、印刷箇所を通過した印刷済用紙が乾燥ユニットに到達する時間的間隔は、印刷速度とスキップ回数との少なくともいずれか一方に応じて決まるので、印刷速度やスキップ回数に応じて後続の印刷済用紙がぶつかって紙詰まりしない範囲の所定時間、印刷済用紙を乾燥手段に対向する位置で乾燥促進手段によって停止させることにより、印刷済用紙の乾燥時間が長くなり、乾燥ユニットを大型にすることなく印刷済用紙の乾燥を促進させることができる。
【００８１】
請求項９記載の発明の乾燥装置によれば、印刷装置の排紙口から乾燥装置内へ排紙される印刷済用紙の時間的間隔は、印刷速度とスキップ回数との少なくともいずれか一方に応じて決まるので、乾燥装置内での印刷済用紙の搬送速度を、印刷速度やスキップ回数に応じて後続の印刷済用紙がぶつかって紙詰まりしない範囲で低速に乾燥促進手段で切り替えることにより、乾燥装置内での印刷済用紙の乾燥時間が長くなり、乾燥装置を大型にすることなく印刷済用紙の乾燥を促進させることができる。
【００８２】
請求項１０記載の発明の乾燥装置によれば、印刷装置の排紙口から乾燥装置内へ排紙される印刷済用紙の時間的間隔は、印刷速度とスキップ回数との少なくともいずれか一方に応じて決まるので、印刷速度やスキップ回数に応じて後続の印刷済用紙がぶつかって紙詰まりしない範囲の所定時間、印刷済用紙を乾燥装置内で乾燥促進手段によって停止させることにより、乾燥装置内での印刷済用紙の乾燥時間が長くなり、乾燥装置を大型にすることなく印刷済用紙の乾燥を促進させることができる。
【図面の簡単な説明】
【図１】本発明の第１の実施の形態における孔版印刷装置と乾燥装置とを示す縦断正面図である。
【図２】孔版印刷装置と乾燥装置との制御系を示すブロック図である。
【図３】本発明の第２の実施の形態における、用紙先端検知センサのＯＮ，ＯＦＦと、搬送ベルトの搬送速度との関係を示すタイミングチャートである。
【図４】本発明の第３の実施の形態の孔版印刷装置を示す縦断正面図である。
【図５】本発明の第５の実施の形態における孔版印刷装置と乾燥装置とを示す縦断正面図である。
【符号の説明】
１，３４  印刷装置
２      本体ケース
８      給紙モード切替手段、制御手段
９      印刷用紙
９ａ    印刷済用紙
１１      排紙口
１５      印刷箇所
１６，３９  乾燥装置
２５，４１  乾燥手段
２６，４３  乾燥促進手段
３５      本体ケース
３６      給紙モード切替手段、制御手段、乾燥促進手段
３７      乾燥ユニット
【図１】
0004354053.tif 000004
【図２】
0004354053.tif 000005
【図３】
0004354053.tif 000006
【図４】
0004354053.tif 000007
【図５】
0004354053.tif 000008